(57)【要約】【課題】広い視位置において立体視が可能な、立体表示装置の構成を得る。【解決手段】立体表示装置１は、互いに視差を有する複数の視点の画像を規則的に並べて表示する表示パネル１４と、前記表示パネル１４の前面に配置され、電圧制御により仮想的なレンチキュラレンズを前記表示パネル１４の画像に対応して一定の間隔で整列して形成する光線変換素子１１と、前記表示パネル１４および前記光線変換素子１１を制御する制御部とを備える。前記制御部は、前記表示パネル１４と観察者との距離に応じて、前記光線変換素子１１が形成する前記仮想的なレンチキュラレンズの焦点距離を変更する。【選択図】図１
2015004698.tif 000002
【特許請求の範囲】
【請求項１】
互いに視差を有する複数の視点の画像を規則的に並べて表示する表示パネルと、
前記表示パネルの前面に配置され、電圧制御により仮想的なレンチキュラレンズを前記表示パネルの画像に対応して一定の間隔で整列して形成する光線変換素子と、
前記表示パネルおよび前記光線変換素子を制御する制御部とを備え、
前記制御部は、前記表示パネルと観察者との距離に応じて、前記光線変換素子が形成する前記仮想的なレンチキュラレンズの焦点距離を変更する、立体表示装置。
【請求項２】
前記制御部は、観察者との距離に応じて、前記表示パネルが表示する前記視点の数を調整する、請求項１に記載の立体表示装置。
【請求項３】
前記制御部は、観察者の位置に応じて、前記表示パネルが表示する画像の配置を平行移動させる、請求項１または２に記載の立体表示装置。
【請求項４】
前記制御部は、観察者との距離に応じて、前記表示パネルが表示する画像の視差量を調整する、請求項１〜３のいずれか一項に記載の立体表示装置。
【請求項５】
観察者の位置を自動的に検出する自動視位置検出部をさらに備える、請求項１〜4のいずれか一項に記載の立体表示装置。
【請求項６】
前記光線変換素子は、液晶を使用した屈折率分布型レンズである、請求項１〜５のいずれか一項に記載の立体表示装置。
【請求項７】
前記表示パネルは、液晶ディスプレイである、請求項１〜６のいずれか一項に記載の立体表示装置。
【発明の詳細な説明】
【技術分野】
【０００１】
本発明は、立体表示装置に関し、より詳しくは、裸眼立体視が可能な立体表示装置に関する。
【背景技術】
【０００２】
従来、特殊な眼鏡等を装着する必要がない、いわゆる裸眼立体視が可能な立体表示装置が知られている。特開２００７−３３６００２号公報（特許文献１）には、いわゆる多眼方式による立体表示装置が開示されている。
【０００３】
特許文献１に記載の立体表示装置の原理は、概ね次の通りである。立体表示装置は、表示面に多方向から撮影した画像を規則的に並べて表示する。表示面の前面には、複数のレンチキュラレンズが、一定の間隔で配置されている。レンチキュラレンズによって、多方向から撮影された画像の各々が分離される。ユーザは、この表示装置を最適な位置で観察することで、分離された画像を左右の眼で観察し、視差による立体感を感じることができる。
【０００４】
特開２０１０−２８２０９０号公報（特許文献２）には、表示パネルと可変レンズアレイ素子を備えた立体表示装置が開示されている。可変レンズアレイ素子は、水平方向には少なくとも表示パネルのサブピクセルの水平方向の配列位置ごとに電極が設けられており、シリンドリカルレンズの形状をサブピクセル単位で変化させる。
【０００５】
特許文献２には、シリンドリカルレンズのレンズピッチを変更することで、１つのシリンドリカルレンズに対応させる表示パネルの水平方向の画素数を変化させ、視点数を変化させることができると記載されている。
【先行技術文献】
【特許文献】
【０００６】
【特許文献１】特開２００７−３３６００２号公報
【特許文献２】特開２０１０−２８２０９０号公報
【発明の概要】
【発明が解決しようとする課題】
【０００７】
多眼方式による立体表示装置では、あらかじめ観察者が視聴する位置を仮定して、その位置を最適視位置として各要素の設計が行われる。そのため、最適視位置から外れると、正常な立体画像を得られない。例えば、右目に映るべき画像と左目に映るべき画像とが入れ替わったり（逆視）、複数の視点の画像が混ざる（クロストーク）といった現象が起こる。これらは、観察者に違和感や疲労感を与える原因となる。
【０００８】
特許文献２に記載の立体表示装置は、可変レンズアレイ素子によって、シリンドリカルレンズの形状をサブピクセル単位で変化させる。この文献には、観察者の視聴位置の水平方向の移動に応じてシリンドリカルレンズの位置を変化させることで、逆視やクロストークを防止することができると記載されている。
【０００９】
しかしながら、特許文献２に記載の立体表示装置では、シリンドリカルレンズの位置を細かく調整するために、多数の電極を細かく配置する必要がある。
【００１０】
また、特許文献２には、表示パネルに対して垂直な方向への視位置の移動（視距離の変化）に関しては触れられていない。
【００１１】
仮に、レンズピッチの変更によって視距離の変化に対応しようとした場合、視距離の変化に伴って変更すべきレンズピッチの量はごく僅かである。そのため、それに対応したレンズピッチを形成するための多数の電極を形成する必要がある。
【００１２】
また、可変レンズアレイを液晶レンズで構成した場合、レンズピッチを変更させる電位変化に対して、液晶の応答速度が遅くなるという問題がある。
【００１３】
本発明の目的は、広い視位置において立体視が可能な、立体表示装置の構成を得ることである。
【課題を解決するための手段】
【００１４】
ここに開示する立体表示装置は、互いに視差を有する複数の視点の画像を規則的に並べて表示する表示パネルと、前記表示パネルの前面に配置され、電圧制御により仮想的なレンチキュラレンズを前記表示パネルの画像に対応して一定の間隔で整列して形成する光線変換素子と、前記表示パネルおよび前記光線変換素子を制御する制御部とを備える。前記制御部は、前記表示パネルと観察者との距離に応じて、前記光線変換素子が形成する前記仮想的なレンチキュラレンズの焦点距離を変更する。
【発明の効果】
【００１５】
本発明によれば、広い視位置において立体視が可能な、立体表示装置の構成が得られる。
【図面の簡単な説明】
【００１６】
【図１】図１は、本発明の一実施形態にかかる立体表示装置の概略構成を示す分解斜視図である。
【図２】図２（ａ）は、液晶ディスプレイの表示部の画素配置を示した図であり、図２（ｂ）は、互いに視差を有する複数の視点の画像の、サブ画素への配置の仕方の一例を示したものである。
【図３】図３は、液晶レンズと、液晶レンズによって形成される仮想的なレンチキュラスクリーンとの関係を模式的に示した図である。
【図４】図４は、液晶レンズの、ｙ方向に垂直な断面図である。
【図５】図５は、本実施形態における焦点距離および表示画像の調整を説明するための図である。
【図６】図６は、本実施形態における焦点距離および表示画像の調整を説明するための図である。
【図７】図７は、本実施形態における焦点距離および表示画像の調整を説明するための図である。
【図８】図８は、視点数、視点間距離、および立体画像を観察可能な領域との関係を模式的に示した図である。
【図９】図９は、本発明の一実施形態にかかる立体表示装置における、焦点距離および表示画像の調整手順を示す機能ブロック図である。
【図１０】図１０は、本発明の第１の実施形態にかかる立体表示装置の、液晶レンズの断面図である。
【図１１】図１１は、視距離が１．６ｍおよび３．２ｍの場合において、対応する焦点距離を形成するために主電極に印加する電位Ｖ１，Ｖ２，・・・Ｖ９の値を調整した結果を示す表である。
【発明を実施するための形態】
【００１７】
本発明の一実施形態にかかる立体表示装置は、互いに視差を有する複数の視点の画像を規則的に並べて表示する表示パネルと、前記表示パネルの前面に配置され、電圧制御により仮想的なレンチキュラレンズを前記表示パネルの画像に対応して一定の間隔で整列して形成する光線変換素子と、前記表示パネルおよび前記光線変換素子を制御する制御部とを備える。前記制御部は、前記表示パネルと観察者との距離に応じて、前記光線変換素子が形成する前記仮想的なレンチキュラレンズの焦点距離を変更する（第１の構成）。
【００１８】
上記の構成によれば、光線変換素子によって形成される仮想的なレンチキュラレンズによって、表示パネルに表示された視差画像が分離される。表示パネルと観察者との距離に応じて、仮想的なレンチキュラレンズの焦点距離を変更することによって、様々な視距離において立体視が可能になる。
【００１９】
上記第１の構成において、前記制御部は、観察者との距離に応じて、前記表示パネルが表示する前記視点の数を調整することが好ましい（第２の構成）。
【００２０】
上記の構成によれば、視点数を調整することによって、仮想的なレンチキュラレンズの１つあたりの表示パネルの画素数を整合させる。これにより、視距離の変化に伴う、クロストークを防止することができる。
【００２１】
上記第１または第２の構成において、前記制御部は、観察者の位置に応じて、前記表示パネルが表示する画像の配置を平行移動させることが好ましい（第３の構成）。
【００２２】
上記の構成によれば、逆視を防止して、立体視ができる視位置を広げることができる。
【００２３】
上記第１〜第３のいずれかの構成において、前記制御部は、観察者との距離に応じて、前記表示パネルが表示する画像の視差量を調整することが好ましい（第４の構成）。
【００２４】
上記の構成によれば、観察者により自然な立体感を与えることができる。
【００２５】
上記第１〜第４のいずれかの構成において、観察者の位置を自動的に検出する自動視位置検出部をさらに備えていても良い（第５の構成）。
【００２６】
上記第１〜第５のいずれかの構成において、前記光線変換素子は、液晶を使用した屈折率分布型レンズとすることができる（第６の構成）。
【００２７】
上記第１〜第６のいずれかの構成において、前記表示パネルは、液晶ディスプレイとすることができる（第７の構成）。
【００２８】
［実施の形態］
以下、図面を参照し、本発明の実施の形態を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２９】
図１は、本発明の一実施形態にかかる立体表示装置１の概略構成を示す分解斜視図である。立体表示装置１は、液晶レンズ１１、位相差板１２、スペーサ１３、液晶ディスプレイ１４、およびバックライト１５を備えている。
【００３０】
液晶レンズ１１および液晶ディスプレイ１４は、ともに平面視で概略矩形の板状形状で、主面（最も面積の大きい面）の大きさが、互いに略等しく形成されている。
【００３１】
液晶レンズ１１は、詳しい構成は後述するが、一対の基板と、これに挟持された液晶層とを備える。液晶レンズ１１は、液晶層内の液晶分子の配向を変化させることで、液晶層を通る光の挙動を変化させる。
【００３２】
液晶レンズ１１の背面には、位相差板１２が配置されている。位相差板１２は、液晶ディスプレイ１４から出射される光の偏光方向を調整し、液晶レンズ１１の液晶分子の配向が変化する方向と一致させる。なお、本実施形態では位相差板１２を使用するが、液晶ディスプレイ１４から出射される光の偏光方向によっては、位相差板１２はなくても良い。
【００３３】
位相差板１２の背面には、スペーサ１３を介して、液晶ディスプレイ１４が配置されている。液晶ディスプレイ１４は、表示部１４０と、アクティブマトリクス基板と、これに対向して配置されたカラーフィルタ基板と、両基板に挟持された液晶層とを備えている。アクティブマトリクス基板には、ＴＦＴ（Ｔｈｉｎ  Ｆｉｌｍ  Ｔｒａｎｓｉｔｏｒ）と画素電極とがマトリクス状に形成されている。液晶ディスプレイ１４は、ＴＦＴを制御することによって、任意の画素電極上の液晶層内の液晶分子の配向を変化させる。これにより、液晶ディスプレイ１４は、任意の画像を表示部１４０に表示することができる。
【００３４】
液晶ディスプレイ１４の背面には、バックライト１５が配置されている。バックライト１５は、液晶ディスプレイ１４に光を照射する。
【００３５】
立体表示装置１は、液晶レンズ１１と、液晶ディスプレイ１４とを連動して制御することによって、立体表示を行う。
【００３６】
図２（ａ）は、液晶ディスプレイ１４の表示部１４０の画素配置を示した図である。表示部１４０は、多数の画素１４０Ａから構成されている。画素１４０Ａのそれぞれはさらに、赤（Ｒ）、緑（Ｇ）、青（Ｂ）に対応するサブ画素１４０ａから構成されている。サブ画素１４０ａは水平方向に間隔ｐで均等に整列している。液晶ディスプレイ１４は、これらのサブ画素１４０ａを表示単位として、互いに視差を有する複数の視点の画像（以下、視差画像と言う）を規則的に並べて表示する。
【００３７】
図２（ｂ）は、視差画像の、サブ画素１４０ａへの配置の仕方の一例を示したものである。図２（ｂ）に示すように、同一視点の画像（図２（ｂ）中にＡ１，Ａ２，・・・Ａ９の番号を付して示す）を、鉛直方向に対し角度φだけ傾けて配置する。図２（ｂ）の例では、同一視点の画像を、鉛直方向に１ライン進む毎に水平方向に１ラインずらして表示している。このような表示をするのは、同一視点の画像の整列方向とサブ画素の整列方向とを一致させた場合（φ＝０の場合）、特定の視点で発色が偏ったり、モアレが目立ったりする場合があるためである。
【００３８】
図３は、液晶レンズ１１と、液晶レンズ１１によって形成される仮想的なレンチキュラスクリーン１１０との関係を模式的に示した図である。仮想的なレンチキュラスクリーン１１０は、多数の仮想的なレンチキュラレンズ１１０ａから構成される。液晶レンズ１１は、液晶ディスプレイ１４に表示される画像に対応して、一定の間隔Ｌ１で整列した複数のレンチキュラレンズ１１０ａを形成する。レンチキュラレンズ１１０ａは、液晶ディスプレイ１４の画像に対応して、角度φだけ傾けて配置される。
【００３９】
以下では、このレンチキュラレンズ１１０ａの整列方向をｘ方向、レンチキュラレンズ１１０ａの延在方向をｙ方向、液晶レンズ１１の厚さ方向をｚ方向と呼んで参照する。
【００４０】
図４は、液晶レンズ１１の、ｙ方向に垂直な断面図である。液晶レンズ１１は、制御基板１１１と、対向基板１１３と、両基板に挟持された液晶層１１２とを備える。
【００４１】
本実施形態では、液晶層１１２を構成する液晶分子１１２ａとして、誘電率異方性が正のものを用いる。液晶分子１１２ａは、複屈折性を有している。すなわち、光学軸に平行に振動する光に対する屈折率ｎｅと、光学軸に垂直に振動する光に対する屈折率ｎｏとが異なっている。液晶分子１１２ａは、Δｎ＝ｎｅ−ｎｏの値の大きいものが好ましい。
【００４２】
制御基板１１１には、複数の主電極１１４が形成されている。主電極１１４のそれぞれはｙ方向に沿って細長に形成され、それらが互いに略平行になるようにｘ方向に沿って間隔Ｌ１で配置されている。
【００４３】
主電極１１４を覆って、配向膜１１７が形成されている。
【００４４】
対向基板１１３には、全面に共通電極１１６が形成されている。共通電極１１６を覆って、配向膜１１８が形成されている。
【００４５】
配向膜１１７および１１８には、配向処理によって、ｘ方向と平行に複数の溝が形成されている。配向膜１１７および１１８によって、液晶層１１２に電圧が印加されていない状態（電圧無印加状態）では、液晶分子１１２ａは、分子長軸がｘ方向と平行になるように配向する。
【００４６】
主電極１１４と共通電極１１６との間に電圧が印加されると、この電圧によって電界が生じる。液晶分子１１２ａは、電界と分子長軸とが平行になるように配向する。図４に示すように、主電極１１４近傍の液晶分子１１２ａの分子長軸は、ｚ方向と平行に配向する。主電極１１４から離れるにつれて、液晶分子１１２ａの長軸は、ｚ方向からｘ方向に傾いていく。
【００４７】
液晶分子１１２ａの配向方向の変化にしたがって、液晶層１１２の屈折率が変化する。そのため、液晶層１１２は、ｘ方向に屈折率分布を有する。液晶層１１２は、この屈折率分布によって、図４に破線の矢印で示したように、液晶層１１２に入射した光を集光することができる。すなわち、液晶レンズ１１は屈折率分布型レンズ（Ｇｒａｄｉｅｎｔ  Ｉｎｄｅｘ  Ｌｅｎｓ、ＧＲＩＮレンズ）として機能する。
【００４８】
液晶レンズ１１は、主電極１１４と共通電極１１６との間の電位差を制御することによって、レンズ形状を制御し、焦点距離を変化させることができる。
【００４９】
また、電圧無印加状態では、液晶分子１１２ａは配向膜１１７および１１８により一様に配向しているため、液晶レンズ１１はＧＲＩＮレンズとして機能しない。立体表示装置１は、液晶レンズ１１と液晶ディスプレイ１４とを連動して制御して、２次元画像表示と３次元画像表示とを切り替えることができる。
【００５０】
以上、本実施形態における液晶レンズ１１の構成を説明した。本実施形態では、液晶層１１２を構成する液晶分子１１２ａとして、誘電率異方性が正のものを用いる場合を説明した。しかし、液晶分子１１２ａとして、誘電率異方性が負のものを用いても良い。
【００５１】
また、本実施形態では、簡単のため１水準の電圧を印加してＧＲＩＮレンズを構成する例を示した。しかし、ＧＲＩＮレンズ１ピッチあたりに、複数の電極を配置して、多水準の電圧を印加することが好ましい。レンズ形状をより緻密に形成できるためである。
【００５２】
［焦点距離ｆおよび表示画像の調整］
次に、図５〜図７を用いて、本実施形態による焦点距離ｆおよび表示画像の調整について説明する。
【００５３】
図５に示すように、表示部１４０には、サブ画素１４０ａが間隔ｐで整列している。サブ画素１４０ａを表示単位として、互いに視差を有するＮ個（図５〜図７ではＮ＝９の場合を例示している）の視点の画像が並べて表示されている。
【００５４】
表示面から距離Ｓ１だけ隔てて、レンチキュラスクリーン１１０が配置されている。レンチキュラスクリーン１１０は、複数のレンチキュラレンズ１１０ａから構成されており、レンチキュラレンズ１１０ａは、間隔（ピッチ）Ｌで整列している。なお、ＬとＬ１とは下記の関係を満たす。
【００５５】
Ｌ１＝Ｌｃｏｓφ              （１）
【００５６】
表示部１４０を、レンチキュラスクリーン１１０から視距離Ｓ２だけ離れた位置で観察する場合を考える。隣接したサブ画素１４０ａに表示された画像が、この観察位置で視点間距離Ｅだけ離れるように分離されるためには、図５に示した２つの三角形Ｔ１とＴ２の相似関係から、次の式を満たす必要がある。
【００５７】
Ｓ１：ｐ＝Ｓ２：Ｅ             （２）
【００５８】
さらに、視点数Ｎと、レンチキュラレンズ１１０ａのピッチＬとの間には、図６に示した三角形Ｔ３とＴ４の相似関係から、次の関係が成り立つ。
【００５９】
Ｓ２：Ｌ＝Ｓ１＋Ｓ２：Ｎ×ｐ      （３）
【００６０】
式（２）（３）に加えて、レンチキュラレンズ１１０ａの焦点距離ｆが、下記の式を満たす必要がある。
【００６１】
１／Ｓ１＋１／Ｓ２＝１／ｆ        （４）
【００６２】
次に、ピッチＬおよび距離Ｓ１を変化させずに、表示部１４０を、レンチキュラスクリーン１１０から視距離Ｓ２’（Ｓ２’＞Ｓ２）だけ離れた位置で観察する場合を考える。このときの視点間距離Ｅ’は、式（２）よりＥ’＝Ｓ２’／Ｓ２×Ｅとなる。図７に示すように、この状態では、レンチキュラレンズ１１０ａのピッチＬと、表示部１４０上に同一視点が表示されるまでの間隔とが対応しておらず、異なる視点の画像が混ざって観察されるクロストークが発生する。
【００６３】
ピッチＬおよび距離Ｓ１を変化させずに、クロストークを防止するためには、表示部１４０側で、同一視点が表示されるまでの間隔を変化させる必要がある。ここで、サブ画素１４０ａのピッチｐを変化させることは現実的ではないため、視点数をＮからＮ’に変化させることを考える。Ｎ’は、式（３）と同様にして導かれる次の関係を満たす。
【００６４】
Ｓ２’：Ｌ＝Ｓ１＋Ｓ２’：Ｎ’×ｐ      （５）
【００６５】
ここで、Ｎ’が非整数の場合の取り扱いについて述べる。例えば、Ｎ’＝８．９５の場合を考える。１ラインのレンチキュラレンズ１１０ａに対応するサブ画素１４０ａの数が８．９５点ということは、１００ラインのレンチキュラレンズ１１０ａに対応するサブ画素１４０ａの数は８９５点ということになる。Ｎ＝９の場合は、１００ラインのレンチキュラレンズ１１０ａに対応するサブ画素１４０ａの数は９００点であるから、そこから５点を均等に間引けば良い。すなわち、２０ラインのレンチキュラレンズ１１０ａ毎に、１つの視点の表示をスキップすれば良い。
【００６６】
上記に加え、レンチキュラレンズ１１０ａの焦点距離を下記の焦点距離ｆ’に変化させる必要がある。
【００６７】
１／Ｓ１＋１／Ｓ２’＝１／ｆ’           （６）
【００６８】
本実施形態にかかる立体表示装置１では、後述するように、視距離Ｓ２の変化を検出して、最適な視点数Ｎおよび焦点距離ｆを求める。そして、視点数Ｎの調整を液晶ディスプレイ１４により行い、焦点距離ｆの調整を液晶レンズ１１により行う。
【００６９】
以上は、観察者が立体表示装置１の表示部１４０と垂直な方向に移動した場合（視距離Ｓ２が変化した場合）における焦点距離ｆおよび表示画像の調整手順である。次に、観察者が立体表示装置１の表示部１４０と平行に移動した場合について説明する
【００７０】
図８は、視点数Ｎ、視点間距離Ｅ、および立体画像を観察可能な領域（以下、視域という）ＶＲとの関係を模式的に示した図である。矢印Ａ１，Ａ２・・・Ａ９は、各視点の画像が観察される位置を表している。図８に示すように、多眼方式では視点数Ｎが有限であるため（図８ではＮ＝９）、視域ＶＲも有限である。視域ＶＲから外れた領域ＶＲＩでは、右目に映るべき画像と左目に映るべき画像とが入れ替わる逆視が発生する。
【００７１】
本実施形態にかかる立体表示装置１は、後述するように、観察者の位置の変化を検出する。そして、観察者の位置に応じて、視差画像の配置を平行移動させて、逆視の発生を防止する。
【００７２】
図９は、立体表示装置１における、焦点距離ｆおよび表示画像の調整手順を示す機能ブロック図である。立体表示装置１は、既述の構成に加えてさらに、視位置検出部１６と、制御部１７とを備えている。
【００７３】
視位置検出部１６は、観察者の位置Ｐを制御部１７へ出力する。視位置検出部１６は、カメラと画像処理回路とを組み合わせる等して、観察者の位置Ｐを自動的に検出するものが好ましいが、観察者がマニュアルで位置Ｐを入力するコントローラのようなものであっても良い。
【００７４】
制御部１７は、視位置検出部１６から観察者の位置Ｐを入力し、外部から画像信号Ｖｓを入力する。そして、これらの情報をもとに、液晶レンズ１１、液晶ディスプレイ１４、およびバックライト１５を制御する。制御部１７は、液晶レンズ１１または液晶ディスプレイ１４を構成する基板等にモジュールとして実装されていても良いし、これらとは別の部品であっても良い。また、制御部１７の全てがハードウェアとして実装されていなくても良い。すなわち、制御部１７の一部は、コンピュータプログラムをプロセッサが実行することによって実現される仮想的な機能ブロックであっても良い。
【００７５】
制御部１７は、パラメータ算出部１７１と、立体画像調整部１７２と、レンズドライバ１７３と、ディスプレイドライバ１７４とを備える。
【００７６】
パラメータ算出部１７１は、視位置検出部１６から出力された観察者の位置Ｐを入力する。そして、観察者の位置Ｐに含まれる視距離Ｓ２に基づいて焦点距離ｆおよび視点数Ｎを算出する。その後、焦点距離ｆをレンズドライバ１７３に出力する。また、観察者の位置Ｐおよび視点数Ｎを立体画像調整部１７２に出力する。
【００７７】
立体画像調整部１７２は、パラメータ算出部１７１から出力された、観察者の位置Ｐおよび視点数Ｎを入力する。また、立体画像調整部１７２は、外部から画像信号Ｖｓを入力する。
【００７８】
画像信号Ｖｓは、例えば、２つ以上の方向から撮影された画像を含む多チャンネルデータである。入力された画像のチャンネル数をＭとして、立体画像調整部１７２は、Ｍチャンネルの画像データからＮ視点の画像データを生成する。
【００７９】
立体画像調整部１７２による画像データの生成は、既述のように規則的に特定の視点の表示をスキップすることにより行うことができる。また、Ｍチャンネルの画像データの補間等を行って、Ｎ視点の画像データを再構築しても良い。このとき、視距離Ｓ２に応じて、各視点の画像間の視差量を調整することが望ましい。視差量を調整することによって、観察者に、より自然な立体感を与えることができる。視距離Ｓ２が小さいほど視差量は大きくなり、視距離Ｓ２が大きくなるほど視差量は小さくなる。
【００８０】
さらに、観察者の位置Ｐに応じて、逆視が発生しないように、視差画像の配置を平行移動させても良い。
【００８１】
画像信号Ｖｓは、上記の他、２次元画像とその各画素の深度情報とを含むようなものであっても良い。あるいは、立体画像調整部１７２が、シングルチャンネルの２次元画像から立体画像を推定し、Ｎ視点の画像データを生成する構成としても良い。
【００８２】
立体画像調整部１７２は、生成したＮ視点の画像データを、画像信号Ｖｄとしてディスプレイドライバ１７４に出力する。
【００８３】
レンズドライバ１７３は、パラメータ算出部１７１から出力される焦点距離ｆを入力し、この値に基づいて液晶レンズ１１を駆動する。
【００８４】
ディスプレイドライバ１７４は、立体画像調整部１７２から出力される画像信号Ｖｄを入力し、この信号に基づいて液晶ディスプレイ１４およびバックライト１５を駆動する。
【００８５】
以上、本実施形態に立体表示装置１の構成および、立体表示装置１による焦点距離ｆおよび表示画像の調整手順について説明した。
【００８６】
立体表示装置１によれば、焦点距離ｆを制御することにより、広い視位置において立体視が可能になる。焦点距離ｆの制御は、液晶レンズ１１に印加する電圧の制御によって行うことができる。
【００８７】
レンズピッチの調整によって視位置の調整を行う場合、レンズピッチの調整に必要な分解能を得るために多数の電極が必要である。本実施形態の場合は、電極の数は少なくても良い。
【００８８】
また、レンズピッチを変更する場合、変更量が僅かであっても、多数のシリンドリカルレンズ１１０ａが整列しているため、液晶分子１１２ａの配向方向を大きく変えなければならない。一方、本実施形態の様に焦点距離ｆを変更する場合、変更量が僅かであれば、液晶分子１１２ａの配向方向の変化量も僅かである。そのため、応答速度を速くできる。
【００８９】
本実施形態では、表示部１４０の画素配置として、画素１４０Ａ内に、赤、緑、青のサブ画素１４０ａが、水平方向に整列した構成を例示した。しかし、画素１４０Ａは、さらに多くのサブ画素を備えても良く、他の色を表示するサブ画素を備えていても良い。また、画素１４０Ａ内でのサブ画素１４０ａの配置の方法も任意であり、鉛直方向に整列させたり、複数の列に分割して配置しても良い。
【００９０】
本実施形態では、表示部１４０に視差画像を、ストライプ状に並べて配置した。しかし、複数の視点の画像の配置方法は、規則的に並べて表示する限り任意であり、これに合わせて液晶レンズ１１を調整すれば良い。
【００９１】
以下では、数値を含んだより具体的な構成例を説明する。この構成例は、本実施形態を限定するものではない。
【００９２】
［第１の実施形態］
視点間距離Ｅ＝１６．２５ｍｍ、視点数Ｎ＝９、液晶ディスプレイ１４を対角４２インチ（１０６６．８ｍｍ）のフルハイビジョン（解像度：１９２０×１０８０画素）ディスプレイとして、立体表示装置１を設計する。液晶ディスプレイ１４の画素１４０Ａは正方形とし、水平方向に、赤、緑、青のサブ画素１４０ａで３等分されているものとする。そうすると、画素１４０Ａの一辺の大きさは約４８４．５μｍであり、サブ画素１４０ａの水平方向の間隔ｐは約１６１．５μｍとなる。また、角度φは１８．４°である。
【００９３】
ディスプレイを視聴するのに最適な距離は、一般的に、ディスプレイの縦方向の長さの３倍と言われている。これから、最適視距離Ｓ２を１．６ｍに設定し、各要素の設計を行う。
【００９４】
式（２）より、Ｓ１＝１４．９０２ｍｍとなる。式（３）より、Ｌ＝１４３９．１９９μｍ、式（１）よりＬ１＝１３６５．３４２μｍとなる。さらに、式（４）によりｆ＝１４．７４５ｍｍとなる。
【００９５】
以上のように、最適視距離Ｓ２＝１．６ｍで設計した立体表示装置１を、視距離Ｓ２’＝３．２ｍの位置で観察する場合を考える。式（５）よりＮ’＝８．９６、式（６）よりｆ’＝１５．８２３となる。
【００９６】
このような焦点距離ｆ，ｆ’を持つレンチキュラレンズ１１０ａを実現するため、液晶レンズ１１を次のように設計した。図１０に示すように、１つのレンチキュラレンズ１１０ａに対し１５本の主電極１１４を等間隔に配置し、８水準の電位（Ｖ１，Ｖ２，・・・Ｖ８）をレンチキュラレンズ１１０ａの中心線に対称に加えて電界を形成できるようにした。なお、共通電極１１６は接地電位とした。各主電極１１４の幅は約２０μｍ、各主電極１１４間の間隔は９７．５μとした。液晶層１１２を構成する液晶分子１１２ａとして、Δｎ＝０．１７のものを使用した。
【００９７】
図１１は、視距離Ｓ２が１．６ｍおよび３．２ｍの場合において、対応する焦点距離ｆを形成するために主電極１１４に印加する電位Ｖ１，Ｖ２，・・・Ｖ８の値を調整した結果を示す表である。
【００９８】
［第２の実施形態］
第１の実施形態では、通常よりも視距離Ｓ２を長くする場合を考えた。次に、通常よりも視距離Ｓ２を短くする場合を考える。
【００９９】
視距離Ｓ２を短くする場合には、視点間距離Ｅが短くなることを考慮する必要がある。視点間距離Ｅが短くなると、視域ＶＲも狭くなる（図８参照）。視域ＶＲが、両目の間隔（一般的には６５ｍｍと言われている）よりも狭くなると、立体像を観察することができなくなる。したがって、例えば９視点の場合、視点間距離Ｅは、少なくとも６５ｍｍ／８＝８．１２５ｍｍ以上である必要がある。この値に余裕を持たせて、最も短い視距離Ｓ２で観察した場合の視点間距離Ｅが１６．２５ｍｍとなるように、立体表示装置１を設計する。
【０１００】
例えば、視距離Ｓ２＝１．２ｍと、視距離Ｓ２＝１．６ｍとの両方で観察できる立体表示装置１を設計する場合、視距離Ｓ２＝１．２ｍにおいて、視点間距離Ｅが１６．２５ｍｍとなるように設計を行う。
【０１０１】
視点間距離Ｅ＝１６．２５ｍｍ、視点数Ｎ＝９、液晶ディスプレイ１４を対角４２インチのフルハイビジョンディスプレイとし、視距離Ｓ２＝１．２ｍとすると、式（２）より、Ｓ１＝１１．９２６ｍｍ、式（１）および（３）よりＬ１＝１３６５．３４２μｍ、式（４）よりｆ＝１１．８０９ｍｍとなる。
【０１０２】
以上のように、最適視距離Ｓ２＝１．２ｍで設計した立体表示装置１を、視距離Ｓ２’＝１．６ｍの位置で観察する場合、式（５）よりＮ’＝８．９８、式（６）よりｆ’＝１１．８３８となる。
【０１０３】
［その他の実施形態］
以上、本発明についての実施形態を説明したが、本発明は上述の各実施形態のみに限定されず、発明の範囲内で種々の変更や組み合わせが可能である。
【産業上の利用可能性】
【０１０４】
本発明は、裸眼立体視が可能な立体表示装置として産業上の利用が可能である。
【符号の説明】
【０１０５】
１  立体表示装置
１１  液晶レンズ
１１１  制御基板
１１２  液晶層
１１２ａ  液晶分子
１１３  対向基板
１１４  主電極
１１６  共通電極
１１７，１１８  配向膜
１２  位相差板
１３  スペーサ
１４  液晶ディスプレイ
１５  バックライト
１６  視位置検出部
１７  制御部
【図１】
2015004698.tif 000003
【図２】
2015004698.tif 000004
【図３】
2015004698.tif 000005
【図４】
2015004698.tif 000006
【図５】
2015004698.tif 000007
【図６】
2015004698.tif 000008
【図７】
2015004698.tif 000009
【図８】
2015004698.tif 000010
【図９】
2015004698.tif 000011
【図１０】
2015004698.tif 000012
【図１１】
2015004698.tif 000013